(57)【特許請求の範囲】
【請求項１】
吸気口を有する集塵室及び塵埃吸引用の電動送風機を収納する掃除機本体と、
前記集塵室内に装着され、前記吸気口に対応する吸気孔を有する口枠を備えた集塵袋と、前記集塵室の吸気口の左右両側に独立して配され、前後に回動可能でかつ前記集塵袋の前記口枠を装着させる２つのホルダと、
前記集塵室上方には開閉自在に覆う蓋体と、
前記蓋体に設けられ、前記集塵室に前記集塵袋が装着されているときに、前記集塵袋の前記口枠の上部を前方に押さえながら前記蓋体を閉状態とする前記２つのホルダと各々対応した２つの保持リブと、を備え、
前記２つのホルダは、前記集塵袋が無い状態では各々のホルダに対して備えられたバネの付勢力により後方へ軸回動し傾斜した状態で保持され、前記保持リブが、前記傾斜した状態の２つのホルダと当接することによって、前記集塵袋が無いことを検知させることを特徴とした電気掃除機。
【請求項２】
集塵袋の口枠を装着させるホルダの挿入口に集塵室上方且つ略外側に開口させた傾斜部を設け、前記傾斜部を前記集塵室側壁に当接させたことを特徴とした請求項１に記載の電気掃除機。
【発明の詳細な説明】
【技術分野】
【０００１】
本発明は、電気掃除機に関するものである。
【背景技術】
【０００２】
従来、この種の電気掃除機においては、集塵部及び電動送風機を有する掃除機本体と、前記集塵部に装着される集塵袋とを備え、該集塵袋は、開口部を有する口板と、該口板に取り付けられた袋部材とを備え、前記口板の一端には、シール部材の一部を備え、前記シール部材の他の一部は、前記掃除機本体に設けた係合部と係合し、前記掃除機本体に前記口板を保持する係止部が設けられており、前記集塵部の下部には、回動軸と、前記集塵袋を前記集塵部に装着する際に前記口板の他端を取付け可能なホルダが設けられており、前記口板が前記係止部により保持されている際は、前記ホルダは起こした状態となり、前記係止部が前記口板から外れた際は、前記ホルダは前記回動軸を回転軸として前記電動送風機側に倒れた状態となり、前記集塵袋を前記集塵部から取り出す際に、前記シール部材は前記開口部を塞ぐ構成のものであった（例えば、特許文献１参照）。
【先行技術文献】
【特許文献】
【０００３】
【特許文献１】特開２０１１−２２９９８６号公報
【発明の概要】
【発明が解決しようとする課題】
【０００４】
しかしながら、前記従来の電気掃除機の構成では、前記集塵袋を集塵部から取り出す際に、集塵袋に満杯の塵埃が溜まった状態では係合部を口板から外しても、集塵袋の袋部材が集塵部の後壁とホルダ側の前壁との間で膨らんだ状態で突っ張ってしまい、ホルダが電動送風機側に倒れず、さらには係合部も集塵部側に倒れた状態となり、集塵袋の口板を指で掴んで上方に引き上げる際に係合部に指が引掛り易く、非常に取り出し難いという課題を有していた。
【０００５】
本発明は、前記従来の課題を解決するもので、集塵袋に満杯の塵埃が溜まった状態でも容易に取り出すことができる電気掃除機を提供することを目的とする。
【課題を解決するための手段】
【０００６】
前記従来の課題を解決するために、本発明の電気掃除機は、吸気口を有する集塵室及び塵埃吸引用の電動送風機を収納する掃除機本体と、前記集塵室内に装着され、前記吸気口に対応する吸気孔を有する口枠を備えた集塵袋と、前記集塵室の吸気口の左右両側に独立して配され、前後に回動可能でかつ前記集塵袋の前記口枠を装着させる２つのホルダと、前記集塵室上方には開閉自在に覆う蓋体と、前記蓋体に設けられ、前記集塵室に前記集塵袋が装着されているときに、前記集塵袋の前記口枠の上部を前方に押さえながら前記蓋体を閉状態とする前記２つのホルダと各々対応した２つの保持リブと、を備え、前記２つの
ホルダは、前記集塵袋が無い状態では各々のホルダに対して備えられたバネの付勢力により後方へ軸回動し傾斜した状態で保持され、前記保持リブが、前記傾斜した状態の２つのホルダと当接することによって、前記集塵袋が無いことを検知させるもので、集塵袋に満杯の塵埃が溜まった状態でも容易に取り出すことができ、さらには、集塵袋を装着していないと蓋体が閉じられないので集塵袋未装着による誤使用を防止できる。
【発明の効果】
【０００７】
本発明の電気掃除機は、集塵袋の着脱性を向上させるとともに、集塵袋の未装着による誤使用を防止できる使い勝手の良い電気掃除機を提供することができる。
【図面の簡単な説明】
【０００８】
【図１】本発明の実施の形態１における電気掃除機の斜視図
【図２】同電気掃除機の掃除機本体の主断面図
【図３】同掃除機本体の分解斜視図
【図４】同掃除機本体の上方からの斜視図
【図５】同掃除機本体の集塵袋挿入前の図４のＡ−Ａ断面図
【図６】同掃除機本体の集塵袋挿入後の図４のＡ−Ａ断面図
【図７】同掃除機本体の上方からの斜視図
【図８】図７のＢ−Ｂ断面図
【図９】図８のＣ−Ｃ断面図
【発明を実施するための形態】
【０００９】
第１の発明は、吸気口を有する集塵室及び塵埃吸引用の電動送風機を収納する掃除機本体と、前記集塵室内に装着され、前記吸気口に対応する吸気孔を有する口枠を備えた集塵袋と、前記集塵室の吸気口の左右両側に独立して配され、前後に回動可能でかつ前記集塵袋の前記口枠を装着させる２つのホルダと、前記集塵室上方には開閉自在に覆う蓋体と、前記蓋体に設けられ、前記集塵室に前記集塵袋が装着されているときに、前記集塵袋の前記口枠の上部を前方に押さえながら前記蓋体を閉状態とする前記２つのホルダと各々対応した２つの保持リブと、を備え、前記２つのホルダは、前記集塵袋が無い状態では各々のホルダに対して備えられたバネの付勢力により後方へ軸回動し傾斜した状態で保持され、前記保持リブが、前記傾斜した状態の２つのホルダと当接することによって、前記集塵袋が無いことを検知させるもので、集塵袋に満杯の塵埃が溜まった状態でも容易に取り出すことができ、さらには、集塵袋を装着していないと蓋体が閉じられないので集塵袋未装着による誤使用を防止できる。
【００１１】
第２の発明は、特に、第１の発明の集塵袋の口枠を装着させるホルダの挿入口に集塵室上方且つ略外側に開口させた傾斜部を設け、前記傾斜部を前記集塵室側壁に当接させたもので、前記集塵袋の口枠を装着させる際に前記傾斜部に沿わせて装着し易くできるのである。さらには使用者が前記集塵袋を装着していないことに気付かずに前記蓋体を勢い良く閉じた場合、前記蓋体の突起部（保持リブ）が前記ホルダと当接することになるが、前記傾斜部を前記集塵室側壁で支えることができるため、前記ホルダの破損防止も兼ねることができる。
【００１２】
以下、本発明の実施の形態について、図面を参照しながら説明する。なお、この実施の形態によって本発明が限定されるものではない。
【００１３】
（実施の形態１）
本発明の実施の形態１について、図１〜図９を用いて説明する。図１は、本実施の形態における電気掃除機の斜視図、図２は、同電気掃除機の掃除機本体の主断面図、図３は、同掃除機本体の分解斜視図、図４は、同掃除機本体の上方からの斜視図、図５は、同掃除機本体の集塵袋挿入前の図４のＡ−Ａ断面図、図６は、同掃除機本体の集塵袋挿入後の図４のＡ−Ａ断面図、図７は、同掃除機本体の上方からの斜視図、図８は、図７のＢ−Ｂ断面図、図９は、図８のＣ−Ｃ断面図である。
【００１４】
図１に示すように、本実施の形態における電気掃除機は、吸引風を発生させる電動送風機５（図２及び図３参照）を内蔵する掃除機本体１と、被清掃面の塵埃を吸引する吸込具２と、一端が吸込具２に接続される延長管３と、一端が延長管３に接続され、他端が掃除機本体１に接続されるホース４とから構成されている。
【００１５】
吸込具２には、被清掃面の塵埃を掻きあげる回転ブラシ（図示せず）と、回転ブラシを回転駆動する電動機（図示せず）とが内蔵されている。また、ホース４の延長管３側の端部には、使用者が掃除する際に保持する把手部６を備えた先端パイプ７が設けられており、この先端パイプ７を介して延長管３とホース４とが着脱自在に接続されている。さらに、ホース４の掃除機本体１側の端部には、接続パイプ８が設けられており、この接続パイプ８を介して掃除機本体１の吸気口９とホース４とが着脱自在に接続されている。
【００１６】
図２〜図４に示すように、掃除機本体１は、前方に集塵室１５を形成し、後方に電動送風機５とコード巻取り装置１６を具備した下枠体１０と、掃除機本体１の上面を形成する上枠体１１から構成されており、下枠体１０と上枠体１１はネジ等によって結合されている。
【００１７】
また、下枠体１０の前方下面には、走行用のキャスター１２と、後方両側面には車輪１７が回動自在に取り付けられている。さらに、集塵室１５の前方端部には弾性材料で形成された逆止弁１３が取り付けられており、逆止弁１３を覆うように吸気枠体１４が取り付けられている。また、掃除機本体１の後部には電動送風機５により排出された排気を、コード巻取り装置１６内部を通過させた後、排出するための排気口１８が構成されている。
【００１８】
また、集塵室１５の上方は開放状態となっており、その開放部上端全周にパッキン１９を有したものである。また、口枠２２ａと袋部２２ｂを有した集塵袋２２が、口枠２２ａの吸気孔２２ｃを集塵室１５の吸気口９に対向させつつ、着脱自在に装着されている。
【００１９】
後方部を支点として掃除機本体１に回動自在に設けた蓋体２０は、集塵室１５の上方開口部１５ｂを覆うものである。この蓋体２０は、閉状態で、パッキン１９と平面が略同形状で蓋体２０が閉状態となった時、パッキン１９と圧接しエアータイトを行うタイトリブ２０ａと、口枠２２ａ上端左右を前方へ押圧させる保持リブ２０ｂとを有している。集塵室１５内には吸気口９の左右に位置する下枠体１０のリブ（図示せず）に、バネ２１で付勢されたホルダ２３とホルダ２４が前後方向に軸回動できるよう取り付けられている。
【００２０】
図５及び図６に示すように、集塵袋２２の口枠２２ａの下端をホルダ２３とホルダ２４のそれぞれの下端に設けられた位置決め部２３ａ、２４ａ（図示せず）に差し込んで行くと、ホルダ２３とホルダ２４の上部が前方へ軸回動しながら、図２に示す集塵室１５底面で口枠２２ａの前後位置を決めるリブ等の補助位置決め部１５ａに嵌合されて装着される
。
集塵袋２２が無い状態ではホルダ２３とホルダ２４はバネ２１の付勢力により後方へ軸回動し傾斜した状態で保持される。
【００２１】
また、図９に示すように、ホルダ２３とホルダ２４の上端の挿入口には口枠２２ａを装着しやすいように、傾斜部２３ｂ、２４ｂがそれぞれ設けられている。
【００２２】
以上のように構成された本実施の形態における電気掃除機について、以下その動作、作用を説明する。
【００２３】
図７〜図９に示すように、蓋体２０の内面の保持リブ２０ｂは、集塵袋２２が装着されていないときには蓋体２０が閉状態とならないように、ホルダ２３、２４の上端部と当接して集塵袋２２が無いことを検知させる構成としており、前記左右のホルダ２３とホルダ２４の上方には、従来例で説明したような口枠２２ａ上方を保持する係合部は無く、開放状態としてあるため集塵袋２２に満杯の塵埃が溜まった状態でも容易に取り出すことができ、さらには、集塵袋２２を装着していないと蓋体２０を閉じられないので、集塵袋２２
未装着による誤使用を防止できる。
【００２４】
また、集塵袋２２の口枠２２ａを装着させるホルダ２３とホルダ２４の上端の挿入口を集塵室１５上方且つ略外側に開口させた傾斜部２３ｂと２４ｂを、集塵室１５側壁上部に配置されたパッキン１９に当接させた構成としているので、集塵袋２２の口枠２２ａを装着させる際に傾斜部２３ｂと２４ｂに沿わせて装着し易くできるのである。
【００２５】
さらには、使用者が集塵袋２２を装着していないことに気付かずに蓋体２０を勢い良く閉じた場合、蓋体２０の保持リブ２０ｂが前記ホルダ２３及び２４と当接することになるが、傾斜部２３ｂと２４ｂはパッキン１９を介して集塵室１５の側壁で支えることができるため、ホルダ２３、２４の破損防止も兼ねることができるのである。
【００２６】
なお、上記実施の形態では、ホルダ２３とホルダ２４の上端の傾斜部２３ｂと２４ｂを、集塵室１５の側壁上部に配置されたパッキン１９に当接させた構成としているが、傾斜部２３ｂ、２４ｂを集塵室１５の側壁に直接当接させても、同様の効果が得られることは言うまでもない。
【産業上の利用可能性】
【００２７】
以上のように、本発明にかかる電気掃除機の集塵袋の取り付け構成は、満杯の塵埃が溜まった状態でも容易に取り出すことができるので、家庭用や業務用の電気掃除機等に適用できる。
【符号の説明】
【００２８】
１  掃除機本体
２  吸込具
３  延長管
４  ホース
５  電動送風機
６  把手部
７  先端パイプ
８  接続パイプ
９  吸気口
１０  下枠体
１１  上枠体
１２  キャスター
１３  逆止弁
１４  吸気枠体
１５  集塵室
１５ａ  補助位置決め部
１６  コード巻取り装置
１７  車輪
１８  排気口
１９  パッキン
２０  蓋体
２０ａ  タイトリブ
２０ｂ  保持リブ
２１  バネ
２２  集塵袋
２２ａ  口枠
２２ｂ  袋部
２２ｃ  吸気孔
２３、２４  ホルダ
２３ａ、２４ａ  位置決め部
２３ｂ、２４ｂ  傾斜部
【図１】
0006371971.tif 000002
【図２】
0006371971.tif 000003
【図３】
0006371971.tif 000004
【図４】
0006371971.tif 000005
【図５】
0006371971.tif 000006
【図６】
0006371971.tif 000007
【図７】
0006371971.tif 000008
【図８】
0006371971.tif 000009
【図９】
0006371971.tif 000010